(57)【要約】【課題】異なる撮像素子を用いて実現可能な電子ファインダの利便性を向上できる撮像装置の技術を提供する。【解決手段】撮像装置は、撮影レンズを通った被写体光をファインダ窓に導く光学ファインダと、被写体光を受光して画像信号を生成可能なメイン撮像素子５と、メイン撮像素子５における各画素５ｇの光電変換領域Ｑａより領域面積が小さい光電変換領域Ｑｂを備えた画素７ｇの群を有し、光学ファインダの光路と共通する光路区間を介し被写体光を受光して画像信号を生成可能なサブ撮像素子７と、メイン撮像素子５またはサブ撮像素子７で順次に生成される画像信号に基づき本撮影前に被写体のプレビュー表示を行わせる電子ファインダとを備えている。この撮像装置では、被写体の輝度情報に基づき、メイン撮像素子５またはサブ撮像素子７を用いた各プレビュー表示の切替えが行われる。これにより、電子ファインダの利便性を向上できることとなる。【選択図】図７
2010268108.tif 000002
【特許請求の範囲】
【請求項１】
撮影光学系を通った被写体光を所定の光路に沿ってファインダ窓に導く光学ファインダ手段と、
前記被写体光を受光して光電変換を行う光電変換領域をそれぞれ備えた複数の第１画素を有し、被写体に係る画像信号を生成可能な第１撮像素子と、
前記第１撮像素子より領域面積が小さい光電変換領域をそれぞれ備えた複数の第２画素を有し、前記所定の光路と共通する光路区間を介して前記被写体光を受光し前記画像信号を生成可能な第２撮像素子と、
前記第１撮像素子または前記第２撮像素子で順次に生成される画像信号に基づき、本撮影前に被写体のプレビュー表示を所定の表示手段で行わせる電子ファインダ手段と、
前記被写体に係る輝度情報を取得する輝度情報取得手段と、
を備えており、
前記電子ファインダ手段は、
前記輝度情報取得手段で取得される輝度情報に基づき、前記第１撮像素子を用いた第１のプレビュー表示と前記第２撮像素子を用いた第２のプレビュー表示との切替えを行う表示制御手段、
を有する撮像装置。
【請求項２】
撮影光学系を通った被写体光を所定の光路に沿ってファインダ窓に導く光学ファインダ手段と、
所定の画素数の第１画素を有し、前記被写体光を受光して被写体に係る画像信号を生成可能な第１撮像素子と、
前記所定の画素数より少ない画素数の第２画素を有し、前記所定の光路と共通する光路区間を介して前記被写体光を受光し前記画像信号を生成可能な第２撮像素子と、
前記第１撮像素子または前記第２撮像素子で順次に生成される画像信号に基づき、本撮影前に被写体のプレビュー表示を所定の表示手段で行わせる電子ファインダ手段と、
前記被写体に係る輝度情報を取得する輝度情報取得手段と、
を備えており、
前記電子ファインダ手段は、
前記輝度情報取得手段で取得される輝度情報に基づき、前記第１撮像素子を用いた第１のプレビュー表示と前記第２撮像素子を用いた第２のプレビュー表示との切替えを行う表示制御手段、
を有する撮像装置。
【請求項３】
前記輝度情報は、前記被写体に係る輝度値の情報であり、
前記表示制御手段は、
前記第１のプレビュー表示を行っている際に前記輝度情報取得手段で取得される輝度値が第１の閾値より大きくなった場合には、前記第２のプレビュー表示に切替える第１切替手段と、
前記第２のプレビュー表示を行っている際に前記輝度情報取得手段で取得される輝度値が第２の閾値より小さくなった場合には、前記第１のプレビュー表示に切替える第２切替手段と、
を有する請求項１または請求項２記載の撮像装置。
【請求項４】
前記第２の閾値は前記第１の閾値より小さい請求項３記載の撮像装置。
【請求項５】
前記輝度情報取得手段は、
前記第１撮像素子または前記第２撮像素子で生成される画像信号に基づき、前記輝度情報を取得する手段、
を有する請求項１または請求項２記載の撮像装置。
【請求項６】
前記輝度情報取得手段は、
所定の測光センサで前記被写体光を受光して前記輝度情報を取得する手段、
を有する請求項１または請求項２記載の撮像装置。
【請求項７】
撮影光学系を通った被写体光を所定の光路に沿ってファインダ窓に導く光学ファインダ手段により、前記ファインダ窓に被写体を表示させる第１表示工程と、
前記被写体光を受光して光電変換を行う光電変換領域をそれぞれ備えた複数の第１画素を有し、被写体に係る画像信号を生成可能な第１撮像素子、または前記第１撮像素子より領域面積が小さい光電変換領域をそれぞれ備えた複数の第２画素を有し、前記所定の光路と共通する光路区間を介して前記被写体光を受光し前記画像信号を生成可能な第２撮像素子で順次に生成される画像信号に基づき、本撮影前に被写体のプレビュー表示を所定の表示手段で行わせる電子ファインダ手段により、前記所定の表示手段に前記被写体を表示させる第２表示工程と、
前記被写体に係る輝度情報を取得する輝度情報取得工程と、
を備えており、
前記第２表示工程は、
前記輝度情報取得工程で取得される輝度情報に基づき、前記第１撮像素子を用いた第１のプレビュー表示と前記第２撮像素子を用いた第２のプレビュー表示との切替えを行う表示制御工程、
を有する表示制御方法。
【請求項８】
撮影光学系を通った被写体光を所定の光路に沿ってファインダ窓に導く光学ファインダ手段により、前記ファインダ窓に被写体を表示させる第１表示工程と、
所定の画素数の第１画素を有し、前記被写体光を受光して被写体に係る画像信号を生成可能な第１撮像素子、または前記所定の画素数より少ない画素数の第２画素を有し、前記所定の光路と共通する光路区間を介して前記被写体光を受光し前記画像信号を生成可能な第２撮像素子で順次に生成される画像信号に基づき、本撮影前に被写体のプレビュー表示を所定の表示手段で行わせる電子ファインダ手段により、前記所定の表示手段に前記被写体を表示させる第２表示工程と、
前記被写体に係る輝度情報を取得する輝度情報取得工程と、
を備えており、
前記第２表示工程は、
前記輝度情報取得手段で取得される輝度情報に基づき、前記第１撮像素子を用いた第１のプレビュー表示と前記第２撮像素子を用いた第２のプレビュー表示との切替えを行う表示制御工程、
を有する表示制御方法。
【発明の詳細な説明】
【技術分野】
【０００１】
本発明は、電子ファインダを備えた撮像装置の技術に関する。
【背景技術】
【０００２】
デジタル一眼レフカメラなどの撮像装置においては、撮影光学系(撮影レンズ)の後方に配置される進退自在なミラー機構を用いて被写体光をファインダ窓に導く光学ファインダを備え、この光学ファインダを利用して被写体の構図決め(フレーミング)を行えるものがある。
【０００３】
このような撮像装置の中には、上記のミラー機構を退避させた状態にて被写体光を画像記録用(記録画像取得用)の撮像素子で受光することにより、この撮像素子で順次に生成される画像データに基づく本撮影前のライブビュー表示を例えば背面モニタで行わせる電子ファインダ機能を備えたものもある。さらには、光学ファインダ内の一部の光路を介して被写体光の受光が可能な画像表示用(ライブビュー表示専用)の撮像素子を備え、この撮像素子を用いて電子ファインダ機能を実現する撮像装置も知られている。
【０００４】
一方、暗い場所では被写体の視認性が悪化する光学ファインダの特性を考慮し、低輝度被写体の場合には、光学ファインダから画像記録用の撮像素子を用いた電子ファインダに自動的に切替えられる撮像装置も提案されている（例えば特許文献１参照）。
【先行技術文献】
【特許文献】
【０００５】
【特許文献１】特開２００６−９４１３３号公報
【発明の概要】
【発明が解決しようとする課題】
【０００６】
しかしながら、上記特許文献１の撮像装置では、光学ファインダと電子ファインダとの間で自動切替えが可能とされているものの、電子ファインダにおいて画像記録用および画像表示用の異なる撮像素子を用いた各ライブビュー表示(プレビュー表示)の自動切替えは想定されておらず、この自動切替えが適切に行えるとは限らない。すなわち、画像表示用の撮像素子は一般に画像記録用より小型であるため、感度が比較的低く低輝度被写体に対して適切なライブビュー表示を行うのは難しい。このような低輝度被写体を良好にライブビュー表示するには、画像表示用の撮像素子から画像記録用に自動的に切替えるのが好ましいが、この動作は画像表示用の撮像素子が設けられない上記特許文献１の撮像装置では不可能である。これでは、電子ファインダの利便性向上が図れない。
【０００７】
本発明は、上記課題に鑑みてなされたものであり、異なる撮像素子を用いて実現可能な電子ファインダの利便性を向上できる撮像装置の技術を提供することを目的とする。
【課題を解決するための手段】
【０００８】
本発明の第１の側面は、撮像装置であって、撮影光学系を通った被写体光を所定の光路に沿ってファインダ窓に導く光学ファインダ手段と、前記被写体光を受光して光電変換を行う光電変換領域をそれぞれ備えた複数の第１画素を有し、被写体に係る画像信号を生成可能な第１撮像素子と、前記第１撮像素子より領域面積が小さい光電変換領域をそれぞれ備えた複数の第２画素を有し、前記所定の光路と共通する光路区間を介して前記被写体光を受光し前記画像信号を生成可能な第２撮像素子と、前記第１撮像素子または前記第２撮像素子で順次に生成される画像信号に基づき、本撮影前に被写体のプレビュー表示を所定の表示手段で行わせる電子ファインダ手段と、前記被写体に係る輝度情報を取得する輝度情報取得手段とを備えており、前記電子ファインダ手段は、前記輝度情報取得手段で取得される輝度情報に基づき、前記第１撮像素子を用いた第１のプレビュー表示と前記第２撮像素子を用いた第２のプレビュー表示との切替えを行う表示制御手段を有する。
【０００９】
本発明の第２の側面は、撮像装置であって、撮影光学系を通った被写体光を所定の光路に沿ってファインダ窓に導く光学ファインダ手段と、所定の画素数の第１画素を有し、前記被写体光を受光して被写体に係る画像信号を生成可能な第１撮像素子と、前記所定の画素数より少ない画素数の第２画素を有し、前記所定の光路と共通する光路区間を介して前記被写体光を受光し前記画像信号を生成可能な第２撮像素子と、前記第１撮像素子または前記第２撮像素子で順次に生成される画像信号に基づき、本撮影前に被写体のプレビュー表示を所定の表示手段で行わせる電子ファインダ手段と、前記被写体に係る輝度情報を取得する輝度情報取得手段とを備えており、前記電子ファインダ手段は、前記輝度情報取得手段で取得される輝度情報に基づき、前記第１撮像素子を用いた第１のプレビュー表示と前記第２撮像素子を用いた第２のプレビュー表示との切替えを行う表示制御手段を有する。
【発明の効果】
【００１０】
本発明によれば、被写体に係る輝度情報に基づき、撮影光学系を通った被写体光を受光して光電変換を行う光電変換領域をそれぞれ備えた複数の第１画素を有し被写体に係る画像信号を生成可能な第１撮像素子を用いた第１のプレビュー表示と、第１撮像素子より領域面積が小さい光電変換領域をそれぞれ備えた複数の第２画素を有し光学ファインダ手段の光路と共通する光路区間を介して被写体光を受光し画像信号を生成可能な第２撮像素子を用いた第２のプレビュー表示との切替えを行う。その結果、異なる撮像素子を用いて実現可能な電子ファインダの利便性を向上できる。
【００１１】
また、本発明によれば、被写体に係る輝度情報に基づき、所定の画素数の第１画素を有し撮影光学系を通った被写体光を受光して被写体に係る画像信号を生成可能な第１撮像素子を用いた第１のプレビュー表示と、所定の画素数より少ない画素数の第２画素を有し光学ファインダ手段の光路と共通する光路区間を介して被写体光を受光し画像信号を生成可能な第２撮像素子を用いた第２のプレビュー表示との切替えを行う。その結果、異なる撮像素子を用いて実現可能な電子ファインダの利便性を向上できる。
【図面の簡単な説明】
【００１２】
【図１】本発明の実施形態に係る撮像装置の外観構成を示す正面図である。
【図２】撮像装置の外観構成を示す背面図である。
【図３】撮像装置の機能構成を示すブロック図である。
【図４】ＯＶＦを用いた構図決め動作を示す断面図である。
【図５】ＥＶＦを用いた構図決め動作を示す断面図である。
【図６】メイン撮像素子の露光動作時の状態を示す断面図である。
【図７】メイン撮像素子とサブ撮像素子との相違点を説明するための概念図である。
【図８】撮像装置１の基本的な動作を示すフローチャートである。
【図９】メイン撮像素子によるライブビュー表示の動作を示すフローチャートである。
【図１０】サブ撮像素子によるライブビュー表示の動作を示すフローチャートである
【発明を実施するための形態】
【００１３】
＜実施形態＞
［撮像装置の要部構成］
図１および図２は、本発明の実施形態に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。
【００１４】
図１に示すように、撮像装置１は、カメラ本体部（カメラボディ）２を備えている。このカメラ本体部２に対して、交換式の撮影レンズユニット（交換レンズ）３が着脱可能である。
【００１５】
撮影レンズユニット３は、主として、鏡胴３６、ならびに鏡胴３６の内部に設けられるレンズ群３７（図３参照）及び絞り等によって構成される。撮影光学系として働くレンズ群３７には、光軸方向に移動することによって焦点位置を変更するフォーカスレンズ等が含まれている。
【００１６】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１７】
また、カメラ本体部２は、その正面左上部にモード設定ダイヤル８２を備え、その正面右上部に制御値設定ダイヤル８６を備えている。モード設定ダイヤル８２を操作することによって、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１８】
また、カメラ本体部２は、正面左端部に撮影者が把持するためのグリップ部１４を備えている。グリップ部１４の上面には露光開始を指示するためのレリーズボタン１１が設けられており、グリップ部１４の内部には電池収納室とカード収納室とが設けられている。電池収納室にはカメラの電源として、例えばニッケル水素充電池等の二次電池や、アルカリ乾電池等の一次電池などが収納され、カード収納室には撮影画像の画像データを記録するためのメモリカード９０（図３参照）が着脱可能に収納されるようになっている。
【００１９】
レリーズボタン１１は、半押し状態（Ｓ１状態）と全押し状態（Ｓ２状態）との２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。
【００２０】
図２において、カメラ本体部２の背面略中央上部には、ファインダ窓（接眼窓）１０が設けられている。撮影者は、ファインダ窓１０を覗くことによって、撮影レンズユニット３から導かれた被写体の光像を視認して構図決定を行うことができる。すなわち、光学ファインダ１７(図４参照)を用いて構図決めを行うことが可能である（後で詳述）。
【００２１】
図２において、カメラ本体部２の背面の略中央には、背面モニタ１２が設けられている。背面モニタ１２は、例えばカラー液晶ディスプレイ（ＬＣＤ）として構成され、撮影条件等を設定するためのメニュー画面を表示したり、再生モードにおいてメモリカード９０に記録された撮影画像を再生表示したりすることができる。また、操作者が光学ファインダによる構図決めではなくライブビュー表示(電子ファインダ)による構図決めを選択した場合には、背面モニタ１２には、撮像素子７（後述）によって取得された時系列の複数の画像（すなわち動画像）がライブビュー画像として表示される。
【００２２】
背面モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００２３】
背面モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２４】
背面モニタ１２の左側には、メニュー画面の設定、画像の削除などを行うための複数のボタンからなる設定ボタン群８３が設けられている。
【００２５】
つぎに、図３を参照しながら、撮像装置１の機能の概要について説明する。図３は、撮像装置１の機能構成を示すブロック図である。
【００２６】
図３に示すように、撮像装置１は、操作部８０、全体制御部１０１、フォーカス制御部１２１、ミラー制御部１２２、シャッタ制御部１２３、タイミング制御回路１２４、およびデジタル信号処理回路５０等を備える。
【００２７】
操作部８０は、レリーズボタン１１（図１参照）を含む各種ボタンおよびスイッチ等を備えて構成される。操作部８０に対する操作者の入力操作に応答して、全体制御部１０１が各種動作を実現する。
【００２８】
全体制御部１０１は、マイクロコンピュータとして構成されており、主にＣＰＵ、ＲＡＭおよびＥＥＰＲＯＭ１０１ａを含むＲＯＭを備えている。なお、不揮発性メモリであるＥＥＰＲＯＭ１０１ａには、撮像装置１の様々な調整値や設定値が保存されることとなる。
【００２９】
全体制御部１０１は、ＲＯＭ内に格納されるプログラムを読み出し、当該プログラムをＣＰＵで実行することによって、各種機能をソフトウェア的に実現する。例えば、全体制御部１０１は、ＡＦモジュール２０およびフォーカス制御部１２１等と協動して、フォーカスレンズの位置を制御する合焦制御動作を行う。全体制御部１０１は、ＡＦモジュール２０によって検出される被写体の合焦状態に応じて、フォーカス制御部１２１を用いてＡＦ動作を実現する。なお、ＡＦモジュール２０は、ミラー機構６を介して進入してきた光を用いて、位相差方式の合焦状態検出手法(位相差ＡＦ)により被写体の合焦状態を検出することが可能である。
【００３０】
また、全体制御部１０１は、ソフトウェア的に実現される表示制御部１０２および輝度検出部１０３を有している。表示制御部１０２は、撮像素子５または撮像素子７で順次に生成される画像信号に基づき、本撮影前に被写体のライブビュー表示(プレビュー表示)を背面モニタ１２で行わせる電子ファインダを実現する。一方、輝度検出部１０３は、ライブビュー表示の際に撮像素子５または撮像素子７で順次に生成される画像信号に基づき、被写体に係る輝度値の情報を取得する。この輝度検出部１０３においては、例えばライブビュー画像における所定の画像領域(例えば全域や中央部など)内の各画素データの平均値が輝度値(ＢＶ値)として算出されることとなる。
【００３１】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００３２】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００３３】
シャッタ制御部１２３は、全体制御部１０１から入力される信号に基づいて制御信号を生成しモータＭ３を駆動することによって、シャッタ４の開閉を制御する。
【００３４】
タイミング制御回路１２４は、撮像素子５等に対するタイミング制御を行う。
【００３５】
撮像素子５は、例えばＣＭＯＳセンサとして構成されており、光電変換作用により被写体の光像を電気的信号に変換し、本撮影画像に係る画像信号（記録用の画像信号）を生成する。換言すれば、撮像素子(第１撮像素子)５は、撮影レンズユニット３を通った被写体光を受光して光電変換を行う光電変換領域Ｑａ(図７参照)をそれぞれ備えた複数の画素を有しており、被写体に係る画像信号の生成が可能である。この撮像素子５は、画像記録用(記録画像取得用)の撮像素子であるとも表現される。
【００３６】
撮像素子５は、タイミング制御回路１２４から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２４から入力される読出制御信号に応答して、当該画像信号をＡＧＣ(Auto Gain Control)回路等を備えた信号処理部５１へ出力する。また、タイミング制御回路１２４からのタイミング信号（同期信号）は、信号処理部５１及びＡ／Ｄ（アナログ／デジタル）変換回路５２にも入力される。
【００３７】
撮像素子５で取得された画像信号は、信号処理部５１で所定のアナログ信号処理（例えばＡＧＣ回路でゲインアップなどを施して画像の輝度レベルを適正化する処理）が施され、当該アナログ信号処理後の画像信号はＡ／Ｄ変換回路５２によってデジタル画像データ（画像データ）に変換される。この画像データは、デジタル信号処理回路５０に入力される。
【００３８】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００３９】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００４０】
本撮影時には、画像メモリ５６に一時記憶される画像データは、全体制御部１０１において適宜画像処理（圧縮処理等）が施された後、カードＩ／Ｆ１３２を介してメモリカード９０に記憶される。
【００４１】
また、画像メモリ５６に一時記憶される画像データは、全体制御部１０１によって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００４２】
また、この撮像装置１は、撮像素子５とは別の撮像素子７（図４も参照）をさらに備えている。撮像素子７は、いわゆるライブビュー画像取得（動画像取得）専用の撮像素子としての役割を果たす。撮像素子７も、撮像素子５と同様の構成を有している。ただし、撮像素子７は、ライブビュー用の画像信号（動画像）を生成するための解像度を有していればよく、通常、撮像素子５よりも少ない画素数であり、低消費電力となっている。
【００４３】
撮像素子７で取得された画像信号に対しても、撮像素子５で取得された画像信号と同様の信号処理が施される。すなわち、撮像素子７で取得された画像信号は、信号処理部５１で所定の処理が施され、Ａ／Ｄ変換回路５２でデジタルデータに変換された後、デジタル信号処理回路５０で所定の画像処理が施され、画像メモリ５６に格納される。
【００４４】
また、撮像素子７で取得され画像メモリ５６に格納される時系列の画像データは、全体制御部１０１によって適宜ＶＲＡＭ１３１に順次に転送され、当該時系列の画像データに基づく画像が背面モニタ１２に表示される。これによって、構図決めを行うための動画的態様の表示（ライブビュー表示）が実現される。
【００４５】
さらに、撮像装置１は、通信用Ｉ／Ｆ１３３を有しており、当該インターフェイス１３３の接続先の機器（例えば、パーソナルコンピュータ等）とデータ通信をすることが可能である。
【００４６】
また、撮像装置１は、フラッシュ４１、フラッシュ制御回路４２、およびＡＦ補助光発光部４３を備えている。フラッシュ４１は、被写体の輝度不足時等に利用される光源である。フラッシュの点灯の有無および点灯時間等は、フラッシュ制御回路４２および全体制御部１０１等によって制御される。ＡＦ補助光発光部４３は、ＡＦ用の補助光源である。ＡＦ補助光発光部４３の点灯の有無および点灯時間等は、全体制御部１０１等によって制御される。
【００４７】
［撮像装置１の撮影動作］
つぎに、撮像装置１における構図決め動作を含む撮影動作について説明する。上述したように撮像装置１においては、ファインダ光学系等で構成される光学ファインダ（光学ビューファインダ（ＯＶＦ）とも称す）を用いて構図決め（フレーミング）を行うことが可能であるとともに、背面モニタ１２に表示されるライブビュー画像を用いて構図決めを行うことも可能である。ここで、撮像素子７および背面モニタ１２を利用して実現されるファインダ機能は、被写体の光像を電子データに変換した後に可視化するものであることから電子ビューファインダ（ＥＶＦ）と称することとする。なお、撮像装置１には、光学ファインダを実現するモード（以下では「ＯＶＦモード」ともいう）と、電子ビューファインダ(電子ファインダ)を実現するモード（以下では「ＥＶＦモード」ともいう）とを選択するための切替スイッチ８５(図２)が設けられている。
【００４８】
図４および図５は、撮像装置１の断面図である。図４は、ＯＶＦを用いた構図決め動作を示しており、図５は、ＥＶＦを用いた構図決め動作を示している。また、図６は、撮像素子５の露光動作時の状態を示す断面図である。
【００４９】
図４等に示すように、撮影レンズユニット３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２で下方に反射された光は、ＡＦモジュール２０へと導かれて入射し、位相差方式のＡＦ動作に利用される。
【００５０】
撮影モードにおいてレリーズボタン１１が全押し状態Ｓ２にされるまで、換言すれば構図決めの際には、ミラー機構６はミラーダウン状態となるように配置される（図４および図５参照）。そして、この際には、撮影レンズユニット３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわちＯＶＦ方式およびＥＶＦ方式）のいずれを採用して構図決めを行うかに応じて異なっている。これについては後述する。操作者は、選択した所望の方式によって構図決めを行うことが可能である。
【００５１】
一方、レリーズボタン１１が全押し状態Ｓ２にされると、ミラー機構６はミラーアップ状態となるように駆動され、露光動作が開始される（図６参照）。被写体に係る記録用静止画像（本撮影画像とも称する）を取得する際の動作（すなわち露光の際の動作）は、上記の両方式（すなわちＯＶＦ方式およびＥＶＦ方式）による構図決めに共通である。
【００５２】
具体的には、図６に示すように、露光時には、ミラー機構６は、撮影光路から待避する。詳細には、撮影光学系からの光（被写体像）を遮らないように主ミラー６１とサブミラー６２とが上方に待避し、撮影レンズユニット３からの光がシャッタ４の開放タイミングに合わせて撮像素子５に到達する。撮像素子５は、光電変換によって、受光した光束に基づいて被写体の画像信号を生成する。このように、被写体からの光が撮影レンズユニット３を介して撮像素子５に導かれることによって、被写体に係る撮影画像（撮影画像データ）が得られる。
【００５３】
次に、構図決めの際の上記両方式の各動作についてそれぞれ説明する。
【００５４】
まず、ＯＶＦ方式の構図決め動作について説明する。
【００５５】
図４に示すように、ミラー機構６の主ミラー６１およびサブミラー６２が、撮影レンズユニット３からの被写体像の光路上に配置されると、被写体像が主ミラー６１とペンタミラー６５と接眼レンズ６７とを介してファインダ窓１０へと導かれる。このように、主ミラー６１とペンタミラー６５と接眼レンズ６７とを含む光学ファインダ１７では、撮影光学系を通った被写体光であって主ミラー６１で反射された被写体光である観察用光束を、光路ＰＡに沿ってファインダ窓１０に導き、ファインダ窓１０に被写体を表示させることが可能である。
【００５６】
詳細には、撮影レンズユニット３からの光は、主ミラー６１で反射されて上方に進路を変更し、焦点板６３において結像し、焦点板６３を通過する。その後、焦点板６３を通過した光は、ペンタミラー６５でその進路をさらに変更した後に接眼レンズ６７を通ってファインダ窓１０へ向かう（図４の光路ＰＡ参照）。このようにして、ファインダ窓１０を通過した被写体像は撮影者（観察者）の眼に到達して視認される。すなわち、撮影者はファインダ窓１０を覗くことによって、被写体像を確認することができる。
【００５７】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、不図示のアクチュエータ(例えばモータ)によって軸ＡＸ１を中心とした回転駆動が可能なミラー（以下では「可動ミラー」ともいう）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらに可動ミラー６５ｅでも反射されることによって上下も反転されて撮影者の眼に到達する。このように、交換レンズ３において左右上下が反転されていた光像は、ペンタミラー６５でさらに左右上下が反転される。これにより、撮影者は、光学ファインダ１７において、その上下左右が実際の被写体と同じ状態で被写体像を観察することができる。
【００５８】
また、主ミラー６１を透過した光はサブミラー６２で反射されて下方に進路を変更しＡＦモジュール２０へと進入する。ＡＦモジュール２０およびフォーカス制御部１２１等は、主ミラー６１およびサブミラー６２を介して進入してきた光を用いて、ＡＦ動作を実現する。
【００５９】
次に、ＥＶＦ方式による構図決め動作について説明する。
【００６０】
この場合にも、図５に示すように、ミラー機構６の主ミラー６１およびサブミラー６２が、撮影レンズユニット３からの被写体像の光路上に配置される。そして、撮影レンズユニット３からの光は、主ミラー６１で反射されて上方に進路を変更し、焦点板６３において結像し、焦点板６３を通過する。
【００６１】
ただし、このＥＶＦ方式による構図決め動作においては、焦点板６３を通過した光は、ペンタミラー６５でその進路をさらに変更した後に、結像レンズ６９（結像光学系）を通過して撮像素子７の撮像面上で再結像する（図５の光路ＰＢ参照）。なお、主ミラー６１で反射されて上方に進路を変更した光は、ダハミラー６５ａ，６５ｂで反射され左右反転されて進行し、さらにミラー６５ｅでも反射されることによって上下も反転され、さらに結像レンズ６９で上下左右反転されて撮像素子７に到達する。
【００６２】
より詳細には、図４と比較すると判るように、図５においてはミラー６５ｅの角度（カメラ本体部２に対する設置角度）が変更されている。具体的には、ミラー６５ｅは、図４の状態から、その下端側の軸ＡＸ１を中心に矢印ＡＲ１の向きに所定角度α回動している。
【００６３】
そして、このミラー６５ｅの角度変更によって、ミラー６５ｅで反射される光（観察用光束）の反射角度が変更され、当該ミラー６５ｅによる反射光の進行経路が変更される。具体的には、図４の状態に比べて、ミラー６５ｅへの入射角度θ１が比較的小さくなり、反射角度θ２も比較的小さくなる。その結果、ミラー６５ｅの反射光は、接眼レンズ６７に向かう光路からダハミラー６５ａ，６５ｂ寄りの光路へとその進路を上方に変更し、結像レンズ６９を通過して撮像素子７に到達する。すなわち、撮像素子(第２撮像素子)７は、光学ファインダ１７の光路ＰＡと共通する光路区間を有した光路ＰＢを介し被写体光を受光して画像信号を生成できる。なお、結像レンズ６９および撮像素子７は、接眼レンズ６７よりも上方に配置されており、且つ、ＯＶＦの際にミラー６５ｅから接眼レンズ６７へと進行する光束を遮らない位置に配置されている。
【００６４】
また、ミラー６５ｅで反射された光束の進路は、ミラー６５ｅの変更角度αに応じて、その２倍の大きさの角度β（＝２×α）変更される。逆に言えば、反射光路の進行角度を角度β変更するために、ミラー６５ｅの回転角度は、当該角度βの半分の角度αで済む。すなわち、ミラー６５ｅの比較的小さな回転角度でミラー６５ｅの反射光の進路を比較的大きく変更することが可能である。また、ミラー６５ｅと撮像素子７とは比較的離れて配置されているため、ミラー６５ｅの回転角度を小さく変更するだけで、ミラー６５ｅによる２つの反射光を、互いに離れて配置された接眼レンズ６７および撮像素子７へと確実に導くことが可能である。すなわち、ミラー６５ｅの回転角度を小さく変更することによってミラー６５ｅによる反射光の光束を良好に２つの光路に選択的に進行させることが可能である。したがって、ミラー６５ｅの回転によるスペースの増大は最小限に止められる。
【００６５】
撮像素子７は、ミラー６５ｅで反射され結像レンズ６９を通過して撮像素子７に到達した被写体像に基づいて、ライブビュー画像を生成する。具体的には、微小時間間隔（例えば、１／６０秒）で複数の画像を順次に生成する。そして、取得された時系列の画像は背面モニタ１２において順次に表示される。これによって、撮影者は、背面モニタ１２に表示される動画像（ライブビュー画像）を視認し、当該動画像を用いて構図決めを行うことが可能になる。
【００６６】
また、この場合も、ＯＶＦによる構図決めの際（図４参照）と同様に、主ミラー６１とサブミラー６２とを介してＡＦモジュール２０に入射した光を用いてＡＦ動作が実現される。
【００６７】
以上のように、ミラー６５ｅで反射した後の観察用光束の進路は、ミラー６５ｅの反射角度の変更によって、ミラー６５ｅから接眼レンズ６７およびファインダ窓１０に向かう光路ＰＡ（図４）と、ミラー６５ｅから結像レンズ６９および撮像素子７に向かう光路ＰＢ（図５）との間で切り換えられる。換言すれば、当該観察用光束の進路は、ミラー６５ｅの反射角度の変更によって、ミラー６５ｅで反射されてファインダ窓１０に向かう第１の光路ＰＡと、ミラー６５ｅで反射されて撮像素子７に向かう第２の光路ＰＢとの間で切り換えられる。
【００６８】
したがって、撮像装置１においては、ペンタミラー６５を構成する複数のミラー６５ａ，６５ｂ，６５ｅのうち、或る反射面（ミラー６５ｅ）の反射角度が変更される一方で、他の反射面（ダハミラー６５ａ，６５ｂ）は固定されている。すなわち、複数の反射面のうち、一の反射面６５ｅのみを駆動することによって観察用光束の進路が変更されるので、駆動部分を少なくしコンパクトな構成にすることができる。
【００６９】
また、撮像装置１では、ライブビュー画像取得専用の撮像素子７でなく、図６のようにミラー機構６を撮影光路から待避させた状態において記録画像取得用の撮像素子５で順次に得られる画像データに基づき、背面モニタ１２にライブビュー表示を行うことも可能である。この場合には、撮像素子５で生成された画像データに基づくコントラスト方式の焦点検出(以下では「コントラストＡＦ」ともいう)が行われる。
【００７０】
すなわち、撮像装置１は、ＥＶＦモードにおいて撮像素子５または撮像素子７によるライブビュー表示が可能である。そして、このＥＶＦモードでは、デフォルトとして撮像素子７を用いたライブビュー表示が設定されている。
【００７１】
このように撮像装置１においては、ＥＶＦモードにおいて撮像素子５を用いたライブビュー表示と撮像素子７を用いたライブビュー表示とが可能となっているが、これらのライブビュー表示の使い分けについて以下で説明する。
【００７２】
［ライブビュー表示の使い分けについて］
撮像装置１は、上述のように記録画像取得用(画像記録用)の撮像素子５またはライブビュー画像取得専用(画像表示用)の撮像素子７を用いて背面モニタ１２にライブビュー表示を行える。次に、撮像素子（以下では「メイン撮像素子」とも称する）５と撮像素子（以下では「サブ撮像素子」とも称する）７とに関しての構成の違いを説明する。
【００７３】
図７は、メイン撮像素子５とサブ撮像素子７との相違点を説明するための概念図である。図７(ａ)および図７(ｂ)は、メイン撮像素子５およびサブ撮像素子７に関しての平面イメージを示しており、実際と比べて画素数を少なく表現している。
【００７４】
ライブビュー画像を取得するだけの目的で設けられたサブ撮像素子７は、画像記録用のメイン撮像素子５に比べて高解像度が要求されず、その占有スペースを小さくするのが好ましい。よって、サブ撮像素子７は、メイン撮像素子５より小型化されており、次のような構成上の相違点が生じている。
【００７５】
(１)画素ピッチの相違
サブ撮像素子７の画素７ｇに関する画素ピッチＰｂは、メイン撮像素子５の画素５ｇに関する画素ピッチＰａより小さくなっている。これに伴い、サブ撮像素子７においてフォトダイオードで構成された光電変換領域Ｑｂ(平行斜線部)の面積は、メイン撮像素子５における光電変換領域Ｑａ(平行斜線部)の面積より小さくなる。換言すれば、サブ撮像素子７は、メイン撮像素子５より領域面積が小さい光電変換領域Ｑｂをそれぞれ備えた複数の画素を有している。
【００７６】
(２)画素数の相違
サブ撮像素子７は、メイン撮像素子５に比べて低解像度が許容されるため、メイン撮像素子５より画素数が少なくなっている。すなわち、サブ撮像素子７は、メイン撮像素子５の画素数より少ない画素数の画素群を有して構成されている。
【００７７】
以上のような構成上の違いから、メイン撮像素子５より感度が低下するサブ撮像素子７は、暗い環境での撮像、つまり低輝度の被写体を撮像するのが不向きである。よって、本実施形態の撮像装置１では、被写体が低輝度であるか否かを判断し低輝度の場合には、表示制御部１０２によりサブ撮像素子７からメイン撮像素子５を用いたライブビュー表示に自動的に切替えるようにする。
【００７８】
ここで、メイン撮像素子５によるライブビュー表示に切替えても依然として表示画面が暗い場合には、画素加算を行って表示画面を明るくする制御が表示制御部１０２によって実行される。具体的には、低輝度の被写体をメイン撮像素子５で撮像する際には、信号処理部５１のＡＧＣ回路でゲインアップが施され撮像画像の輝度レベルの適正化が図られるが、このゲインが高くなると表示画像のノイズが目立つようになる。このように表示画像のノイズが顕著になる場合には、撮像装置１において例えば４画素を加算する画素加算処理を実施して、表示画像のノイズを抑えつつ表示画面を明るくさせるようにする。なお、画素加算処理については、公知(周知)の技術を利用することとし、４画素加算に限らず、これ以上の画素加算や２画素加算を行うようにしても良い。
【００７９】
次に、以上のようなライブビュー表示の使い分けを実行する撮像装置１の具体的な動作を説明する。
【００８０】
［撮像装置１の動作］
図８は、撮像装置１の基本的な動作を示すフローチャートである。この動作は、全体制御部１０１によって実行される。
【００８１】
電源オフ状態の撮像装置１においてメインスイッチ８１に対するユーザ操作により電源オンにされたかを判定する(ステップＳＴ１)。ここで、電源オンにされた場合には、ステップＳＴ２に進み、電源オンにされていない場合には、ステップＳＴ１を継続する。
【００８２】
ステップＳＴ２では、ＥＶＦモード、つまり背面モニタ１２にてライブビュー表示が行われるモードで撮像装置１を起動する。
【００８３】
ステップＳＴ３では、メインスイッチ８１による電源オフの直前にライブビュー画像を取得する撮像素子としてメイン撮像素子５またはサブ撮像素子７が指定されていたかを判定する。ここで、いずれかの撮像素子が指定されていた場合には、ステップＳＴ４に進み、いずれの撮像素子も指定されていない場合には、ステップＳＴ５に進む。
【００８４】
ステップＳＴ４では、電源オフの直前にメイン撮像素子５が指定されていたかを判定する。ここで、メイン撮像素子５が指定されていた場合には、ステップＳＴ６に進み、メイン撮像素子５でなくサブ撮像素子７が指定されていた場合には、ステップＳＴ７に進む。
【００８５】
ステップＳＴ５では、電源オフの直前にいずれの撮像素子も指定されていないため、デフォルトに設定されているサブ撮像素子７を指定する。
【００８６】
ステップＳＴ６では、メイン撮像素子５によるライブビュー表示を行う(後で詳述)。
【００８７】
ステップＳＴ７では、サブ撮像素子７によるライブビュー表示を行う(後で詳述)。
【００８８】
図９は、上記のステップＳＴ６に対応しており、メイン撮像素子５によるライブビュー表示の動作を示すフローチャートである。
【００８９】
ステップＳＴ１１では、メイン撮像素子５で取得された画像データに基づき背面モニタ１２でライブビュー表示を開始する。
【００９０】
ステップＳＴ１２では、メイン撮像素子５で取得された画像データに基づき、輝度検出部１０３で被写体の輝度値(ＢＶ値)を検出する。
【００９１】
ステップＳＴ１３では、ステップＳＴ１２で検出されたＢＶ値が閾値α（例えばＢＶ値α＝４）以下であるかを判定する。ここで、ＢＶ値が閾値α以下の場合には、ステップＳＴ１４に進み、閾値αより大きい場合には、ステップＳＴ２３に進む。
【００９２】
ステップＳＴ１４では、メイン撮像素子５の使用を継続する。すなわち、引き続きメイン撮像素子５によるライブビュー表示を実行する。
【００９３】
ステップＳＴ１５では、ステップＳＴ１２で検出されたＢＶ値が閾値β（例えばＢＶ値β＝−１）以下であるかを判定する。ここで、ＢＶ値が閾値β以下の場合には、ステップＳＴ１６に進み、閾値βより大きい場合には、ステップＳＴ１７に進む。
【００９４】
ステップＳＴ１６では、上述した画素加算処理を行ってメイン撮像素子５で取得された画像の輝度レベルを増加させる。すなわち、信号処理部５１のＡＧＣ回路で過大なゲインアップがなされ背面モニタ１２でノイズが目立つ状態となっているため、例えば４画素を加算することで表示画面を明るくする。
【００９５】
ステップＳＴ１７では、レリーズボタン１１が半押しされたかを判定する。ここで、半押しされた場合には、ステップＳＴ１８に進み、半押しされていない場合には、ステップＳＴ１７を継続する。
【００９６】
ステップＳＴ１８では、コントラストＡＦを行う。すなわち、メイン撮像素子５で取得される画像データに基づきコントラストＡＦを実施してピント合わせが行われる。
【００９７】
ステップＳＴ１９では、レリーズボタン１１が全押しされたかを判定する。ここで、全押しされた場合には、ステップＳＴ２０に進み、全押しされていない場合には、ステップＳＴ２２に進む。
【００９８】
ステップＳＴ２０では、メイン撮像素子５を露光(本露光)して撮影動作を行う。具体的には、被写体を撮像してメイン撮像素子５で画像信号を生成し、この画像信号に対して信号処理部５１およびデジタル信号処理回路５０で信号処理・画像処理を施して記録用の撮影画像データが作成される。
【００９９】
ステップＳＴ２１では、ステップＳＴ２０で作成された撮影画像データをメモリカード９０に保存する。
【０１００】
ステップＳＴ２２では、レリーズボタン１１が半押し状態であるかを判定する。ここで、半押し状態である場合には、ステップＳＴ１９に戻り、半押し状態でない場合、つまり半押しが解除された場合には、ステップＳＴ１２に戻る。
【０１０１】
ステップＳＴ２３では、サブ撮像素子７に切替える。すなわち、比較的高輝度の被写体のため、ライブビュー表示用の撮像素子として使用中のメイン撮像素子５からサブ撮像素子７への切替えが行われる。換言すれば、メイン撮像素子５を用いたライブビュー表示（プレビュー表示）を行っている際に輝度検出部１０３で検出される輝度値が閾値(第１の閾値)αより大きくなった場合には、メイン撮像素子５より低消費電力のサブ撮像素子７を用いたライブビュー表示に切替えられる。これにより、ライブビュー表示に必要な電力が削減でき、省電力化が図れることとなる。
【０１０２】
図１０は、上記のステップＳＴ７に対応しており、サブ撮像素子７によるライブビュー表示の動作を示すフローチャートである。
【０１０３】
ステップＳＴ３１では、サブ撮像素子７で取得された画像データに基づき背面モニタ１２でライブビュー表示を開始する。
【０１０４】
ステップＳＴ３２では、サブ撮像素子７で取得された画像データに基づき、輝度検出部１０３で被写体の輝度値(ＢＶ値)を検出する。
【０１０５】
ステップＳＴ３３では、ステップＳＴ３２で検出されたＢＶ値が閾値γ（例えばＢＶ値γ＝２）以上であるかを判定する。ここで、ＢＶ値が閾値γ以上の場合には、ステップＳＴ３４に進み、閾値γより小さい場合には、ステップＳＴ４１に進む。
【０１０６】
ステップＳＴ３４では、サブ撮像素子７の使用を継続する。すなわち、引き続きサブ撮像素子７によるライブビュー表示を実行する。
【０１０７】
ステップＳＴ３５では、レリーズボタン１１が半押しされたかを判定する。ここで、半押しされた場合には、ステップＳＴ３６に進み、半押しされていない場合には、ステップＳＴ３５を継続する。
【０１０８】
ステップＳＴ３６では、位相差ＡＦを行う。すなわち、ＡＦモジュール２０からの出力に基づき位相差検出方式の焦点検出を実施してピント合わせを行う。
【０１０９】
ステップＳＴ３７では、レリーズボタン１１が全押しされたかを判定する。ここで、全押しされた場合には、ステップＳＴ３８に進み、全押しされていない場合には、ステップＳＴ４０に進む。
【０１１０】
ステップＳＴ３８では、図６のようにミラー機構６を撮影光路から待避させてメイン撮像素子５を露光(本露光)し撮影動作を行う。具体的には、被写体を撮像してメイン撮像素子５で画像信号を生成し、この画像信号に対して信号処理部５１およびデジタル信号処理回路５０で信号処理・画像処理を施して記録用の撮影画像データが作成される。
【０１１１】
ステップＳＴ３９では、ステップＳＴ３８で作成された撮影画像データをメモリカード９０に保存する。
【０１１２】
ステップＳＴ４０では、レリーズボタン１１が半押し状態であるかを判定する。ここで、半押し状態である場合には、ステップＳＴ３７に戻り、半押し状態でない場合、つまり半押しが解除された場合には、ステップＳＴ３２に戻る。
【０１１３】
ステップＳＴ４１では、メイン撮像素子５に切替える。すなわち、低輝度の被写体のため、ライブビュー表示用の撮像素子として使用中のサブ撮像素子７からメイン撮像素子５への切替えが行われる。換言すれば、サブ撮像素子７を用いたライブビュー表示（プレビュー表示）を行っている際に輝度検出部１０３で検出される輝度値が閾値(第２の閾値)γより小さくなった場合には、メイン撮像素子５を用いたライブビュー表示に切替えられる。
【０１１４】
以上の撮像装置１の動作により、ＢＶ値に関する各閾値α、γを用いてメイン撮像素子５とサブ撮像素子７との間での切替えが行われるが、これらの閾値α、γについては、上述のように例えば閾値α＝ＢＶ４と、これより小さい閾値γ＝ＢＶ２とに設定すること、つまりα＞γに設定することでヒステリシスを持たせるのが好ましい。これにより、閾値α〜γの範囲内のＢＶ値を有する被写体をライブビュー表示する際に、メイン撮像素子５とサブ撮像素子７との間で頻繁に切替えが生じることを抑制できる。
【０１１５】
以上で説明した撮像装置１においては、電子ファインダ使用時に、輝度検出部１０３で取得される輝度情報に基づいて画像記録用のメイン撮像素子５を用いたライブビュー表示(第１のプレビュー表示)と画像表示用のサブ撮像素子７を用いたライブビュー表示(第２のプレビュー表示)との切替えが行われる。その結果、異なる撮像素子５、７を用いて実現可能な電子ファインダの利便性を向上できる。
【０１１６】
＜変形例＞
上記の実施形態においては、メイン撮像素子５およびサブ撮像素子７で被写体に係る輝度値(ＢＶ値)を取得するのは必須でなく、例えばカメラ本体部２の前面(正面)に被写体光を受光する測光センサ(測光素子)を設け、この測光センサを用いて被写体のＢＶ値を取得するようにしても良い。このように撮像素子５、７と異なる箇所に設けられた測光センサを用いても、被写体の輝度情報を適切に取得できることとなる。
【０１１７】
上記の実施形態における閾値α、γについては、α＞γであるのは必須でなく、α＜γでもα＝γでも良い。
【０１１８】
本発明は詳細に説明されたが、以上の説明は、すべての局面において、例示であって、この発明がそれに限定されるものではない。例示されていない無数の変形例が、この発明の範囲から外れることなく想定され得るものと解される。
【符号の説明】
【０１１９】
１  撮像装置
２  カメラ本体部
３  撮影レンズユニット（交換レンズ）
５  撮像素子（メイン撮像素子）
６  ミラー機構
７  撮像素子（サブ撮像素子）
１０  ファインダ窓
１２  液晶モニタ
１７  光学ファインダ
２０  ＡＦモジュール
６５  ペンタミラー
１０１  全体制御部
Ｐａ、Ｐｂ  画素ピッチ
Ｑａ、Ｑｂ  光電変換領域
【図１】
2010268108.tif 000003
【図２】
2010268108.tif 000004
【図３】
2010268108.tif 000005
【図４】
2010268108.tif 000006
【図５】
2010268108.tif 000007
【図６】
2010268108.tif 000008
【図７】
2010268108.tif 000009
【図８】
2010268108.tif 000010
【図９】
2010268108.tif 000011
【図１０】
2010268108.tif 000012